(57)【要約】【課題】温度上昇に伴う停止を防止した番組録画装置を提供する。【解決手段】番組を録画する番組録画装置１であって、筐体１０と、筐体１０の内部に配置されたＨＤＤ１６と、筐体１０の内部に配置され、番組をＨＤＤ１６に録画するための回路が実装された回路基板１７と、筐体１０の内部の空気を筐体１０の外部に排気するファン１３と、ファン１３の動作を制御する制御部１８とを備え、制御部１８は、ＨＤＤ１６又は回路基板１７の温度である制御対象温度が第１温度閾値を超え、かつ、録画対象の番組の放送時間長が時間閾値を超えるという条件を満たす場合に、ファン１３の回転方向を変更することで、筐体１０の外部の空気を筐体１０の内部に吸気する。【選択図】図７
2014216035.tif 000002
【特許請求の範囲】
【請求項１】
番組を録画する番組録画装置であって、
筐体と、
前記筐体の内部に配置された記憶装置と、
前記筐体の内部に配置され、前記番組を前記記憶装置に録画するための回路が実装された回路基板と、
前記筐体の内部の空気を前記筐体の外部に排気するファンと、
前記ファンの動作を制御する制御部とを備え、
前記制御部は、前記記憶装置又は前記回路基板の温度である制御対象温度が第１温度閾値を超え、かつ、録画対象の前記番組の放送時間長が時間閾値を超えるという条件を満たす場合に、前記ファンに、前記筐体の外部の空気を前記筐体の内部に吸気させる
番組録画装置。
【請求項２】
前記制御部は、前記条件を満たす場合に、前記ファンの回転方向を変更することで、前記ファンに、前記筐体の外部の空気を前記筐体の内部に吸気させる
請求項１に記載の番組録画装置。
【請求項３】
前記ファンは、
前記筐体の内部の空気を前記筐体の外部に排気する排気ファンと、
前記筐体の外部の空気を前記筐体の内部に吸気する吸気ファンとを有し、
前記制御部は、前記条件を満たす場合に、前記排気ファン及び前記吸気ファンを動作させ、前記条件を満たさない場合に、前記排気ファンを動作させ、前記吸気ファンを停止させる
請求項１に記載の番組録画装置。
【請求項４】
前記筐体は、開口と、前記開口を覆う位置に設けられた開閉可能な扉部とを有し、
前記制御部は、前記条件を満たす場合に、さらに、前記扉部を開く
請求項１〜３のいずれか１項に記載の番組録画装置。
【請求項５】
前記制御部は、前記条件を満たす場合に、さらに、前記ファンの回転により発生する風が前記記憶装置又は前記回路基板に当たるように前記ファンの向きを変える
請求項１〜４のいずれか１項に記載の番組録画装置。
【請求項６】
前記制御部は、前記条件を満たす場合に、さらに、前記ファンの回転により発生する風が前記記憶装置及び前記回路基板に当たるように前記ファンを揺動させる
請求項１〜４のいずれか１項に記載の番組録画装置。
【請求項７】
前記制御部は、前記条件を満たす場合に、さらに、前記ファンの回転により発生する風が前記記憶装置に設けられたペルチェ素子又は前記回路基板に設けられたペルチェ素子に当たるように前記ファンの向きを変える
請求項１〜４のいずれか１項に記載の番組録画装置。
【請求項８】
前記制御部は、録画対象の前記番組の放送開始時刻よりも予め定められた時間だけ前の時刻に、前記条件を満たすか否かを判断する
請求項１〜７のいずれか１項に記載の番組録画装置。
【請求項９】
前記制御部は、さらに、前記番組の録画中に、前記条件を満たすか否かを判断する
請求項８に記載の番組録画装置。
【請求項１０】
前記制御部は、さらに、互いに重複する時間帯に放送される複数の番組が録画予約されている場合には、前記第１温度閾値の代わりに前記第１温度閾値よりも小さな第２温度閾値を用いて前記条件を満たすか否かを判断する
請求項１〜９のいずれか１項に記載の番組録画装置。
【請求項１１】
前記制御部は、さらに、前記番組の録画と、前記記憶装置又は記録媒体に記録されている番組の再生とが同時に行われる場合には、前記第１温度閾値の代わりに前記第１温度閾値よりも小さな第２温度閾値を用いて前記条件を満たすか否かを判断する
請求項１〜９のいずれか１項に記載の番組録画装置。
【請求項１２】
前記筐体は、開口と、前記開口を覆う位置に設けられた開閉可能な扉部とを有し、
前記制御部は、さらに、前記条件を満たし、かつ、前記制御対象温度が第１温度閾値よりも大きい第３温度閾値を満たす場合に、前記扉部を開く
請求項１〜３のいずれか１項に記載の番組録画装置。
【請求項１３】
前記筐体は、開口と、前記開口を覆う位置に設けられた開閉可能な扉部とを有し、
前記制御部は、さらに、前記条件を満たしている状態において、録画中の番組数が増加した場合には、前記扉部を開く
請求項１〜３のいずれか１項に記載の番組録画装置。
【請求項１４】
番組を録画する番組録画装置の制御方法であって、
前記番組録画装置は、
筐体と、
前記筐体の内部に配置された記憶装置と、
前記筐体の内部に配置され、前記番組を前記記憶装置に録画するための回路基板と、
前記筐体の内部の空気を前記筐体の外部に排気するファンとを備え、
前記制御方法は、
前記記憶装置又は前記回路基板の温度である制御対象温度が第１温度閾値を超え、かつ、録画対象の前記番組の放送時間長が時間閾値を超えるという条件を満たす場合に、前記ファンが、前記筐体の外部の空気を前記筐体の内部に吸気する
番組録画装置の制御方法。
【発明の詳細な説明】
【技術分野】
【０００１】
本発明は、番組録画装置及びその制御方法に関し、特に、テレビ番組を録画する番組録画装置及びその制御方法に関する。
【背景技術】
【０００２】
近年、テレビ番組（以下、「番組」という）を録画する番組録画装置として、ハードディスクドライブ（ＨＤＤ）などの記憶装置に番組を録画する番組録画装置が普及している。ＨＤＤには、動作保証温度（例えば、５５℃）が予め定められており、動作保証温度を超えた場合には、ＨＤＤは停止するため、録画を継続することができない。この動作保証温度以下でＨＤＤを動作させるために、番組録画装置内部の冷却処置が従来行われている。例えば、特許文献１に記載の冷却装置では、熱源の温度を低下させるために、熱源の温度が所定の温度以下の場合には冷却ファンの回転方向を一定とし、熱源の温度が所定の温度以上となった場合に冷却ファンの正転と逆転とを一定時間ごとに切り替える冷却装置が開示されている。
【先行技術文献】
【特許文献】
【０００３】
【特許文献１】特開平６−４９８０号公報
【発明の概要】
【発明が解決しようとする課題】
【０００４】
しかしながら、従来の冷却装置では、実測値としての熱源の温度に基づいて冷却ファンの回転モードを切り替えている。このため、熱源の温度の上昇の仕方によっては、回転モードを切り替えたとしても熱源の温度上昇を抑えることができず、熱源の温度が動作保証温度を超えることにより番組録画装置が停止してしまうという課題がある。番組録画装置が一端停止すると、熱源の温度が一定値以下に下がるまでは、番組録画を行うことができない。このため、録画予約した番組の録画に失敗してしまう場合がある。また、番組録画装置が停止している間にＥＰＧ（Ｅｌｅｃｔｒｉｃ  Ｐｒｏｇｒａｍ  Ｇｕｉｄｅ）が更新された場合には、ＥＰＧを取得することができないため、番組の放送時間がずれた場合に、その番組の録画に失敗してしまう場合もある。
【０００５】
本発明は、上述の課題を解決するためになされたものであり、温度上昇に伴う停止を防止した番組録画装置を提供することを目的とする。
【課題を解決するための手段】
【０００６】
上記目的を達成するために、本発明の一態様に係る番組録画装置は、番組を録画する番組録画装置であって、筐体と、前記筐体の内部に配置された記憶装置と、前記筐体の内部に配置され、前記番組を前記記憶装置に録画するための回路が実装された回路基板と、前記筐体の内部の空気を前記筐体の外部に排気するファンと、前記ファンの動作を制御する制御部とを備え、前記制御部は、前記記憶装置又は前記回路基板の温度である制御対象温度が第１温度閾値を超え、かつ、録画対象の前記番組の放送時間長が時間閾値を超えるという条件を満たす場合に、前記ファンに、前記筐体の外部の空気を前記筐体の内部に吸気させる。
【０００７】
この構成によると、制御対象温度のみならず、録画対象の番組の放送時間長をも加味した条件を満たした場合に、筐体の外部の空気を前記筐体の内部に吸気している。番組の録画開始時刻から時間が経過するにつれ、記憶装置及び回路基板で消費される電力の累計が増加するため、制御対象温度は徐々に上昇していく。このため、上記条件を満たすか否かを判断することで、将来的に制御対象温度が上昇するか否かを精度良く推定することができる。よって、制御対象温度が動作保証温度を超えて、番組録画装置が停止してしまうのを防ぐことができる。なお、通常状態においては、塵や埃が筐体内部に流入するのを防ぐために空気を排気するようにファンが回転する。しかし、上記条件を満たす場合には空気を吸気させることで、空気を排気する場合に比べ効率的に制御対象温度を低下させることができる。
【０００８】
具体的には、前記制御部は、前記条件を満たす場合に、前記ファンの回転方向を変更することで、前記ファンに、前記筐体の外部の空気を前記筐体の内部に吸気させても良い。
【０００９】
この構成によると、上記条件を満たした場合に、ファンの回転方向を変更している。よって、制御対象温度が動作保証温度を超えて、番組録画装置が停止してしまうのを防ぐことができる。
【００１０】
また、前記ファンは、前記筐体の内部の空気を前記筐体の外部に排気する排気ファンと、前記筐体の外部の空気を前記筐体の内部に吸気する吸気ファンとを有し、前記制御部は、前記条件を満たす場合に、前記排気ファン及び前記吸気ファンを動作させ、前記条件を満たさない場合に、前記排気ファンを動作させ、前記吸気ファンを停止させても良い。
【００１１】
この構成によると、上記条件を満たした場合に、排気ファンと吸気ファンの両方を動作させている。よって、制御対象温度が動作保証温度を超えて、番組録画装置が停止してしまうのを防ぐことができる。なお、上記条件を満たさない通常状態においては、塵や埃が筐体内部に流入するのを防ぐために排気ファンのみが動作する。しかし、上記条件を満たす場合には排気ファンと吸気ファンの両方が動作することで、排気ファンのみが動作する場合に比べ効率的に制御対象温度を低下させることができる。
【００１２】
例えば、前記筐体は、開口と、前記開口を覆う位置に設けられた開閉可能な扉部とを有し、前記制御部は、前記条件を満たす場合に、さらに、前記扉部を開いても良い。
【００１３】
この構成によると、ファンが吸気した空気を、扉部を開くことで開口から排気することができる。このため、効率的に制御対象温度を下げることができる。また、扉部が自動的に開くことで、ユーザに対して、制御対象温度の上昇を知らせることができる。よって、ユーザは、番組録画装置の配置位置を変更したり、番組録画装置が設置されている室内を冷却したりするなどの対策を講じることができる。
【００１４】
また、前記制御部は、前記条件を満たす場合に、さらに、前記ファンの回転により発生する風が前記記憶装置又は前記回路基板に当たるように前記ファンの向きを変えても良い。
【００１５】
この構成によると、熱源である記憶装置又は回路基板を目掛けて風を送ることができるため、効率的に制御対象温度を下げることができる。
【００１６】
また、前記制御部は、前記条件を満たす場合に、さらに、前記ファンの回転により発生する風が前記記憶装置及び前記回路基板に当たるように前記ファンを揺動させても良い。
【００１７】
この構成によると、熱源である記憶装置及び回路基板の双方に風を送ることができるため、効率的に制御対象温度を下げることができる。
【００１８】
また、前記制御部は、前記条件を満たす場合に、さらに、前記ファンの回転により発生する風が前記記憶装置に設けられたペルチェ素子又は前記回路基板に設けられたペルチェ素子に当たるように前記ファンの向きを変えても良い。
【００１９】
この構成によると、熱源である記憶装置又は回路基板を冷却するためのペルチェ素子を目掛けて風を送ることができるため、効率的に制御対象温度を下げることができる。
【００２０】
また、前記制御部は、録画対象の前記番組の放送開始時刻よりも予め定められた時間だけ前の時刻に、前記条件を満たすか否かを判断しても良い。
【００２１】
この構成によると、番組の録画開始前にファンの回転方向を変更することができる。このため、効率的に制御対象温度を下げることができる。
【００２２】
また、前記制御部は、さらに、前記番組の録画中に、前記条件を満たすか否かを判断しても良い。
【００２３】
この構成によると、番組の録画中であってもファンの回転方向を変更することができる。このため、効率的に制御対象温度を下げることができる。
【００２４】
また、前記制御部は、さらに、互いに重複する時間帯に放送される複数の番組が録画予約されている場合には、前記第１温度閾値の代わりに前記第１温度閾値よりも小さな第２温度閾値を用いて前記条件を満たすか否かを判断しても良い。
【００２５】
複数の番組を同時録画する場合には、１つの番組を録画する場合に比べ、記憶装置及び回路基板がより多くの電力を消費するため、制御対象温度が上昇し易くなる。このため、複数の番組を同時録画する場合には、温度の閾値条件を低く設定することにより、早い時点から吸気を開始することができる。つまり、制御対象温度が動作保証温度を超えて、番組録画装置が停止してしまうのを早い時点から防ぐことができる。
【００２６】
また、前記制御部は、さらに、前記番組の録画と、前記記憶装置又は記録媒体に記録されている番組の再生とが同時に行われる場合には、前記第１温度閾値の代わりに前記第１温度閾値よりも小さな第２温度閾値を用いて前記条件を満たすか否かを判断しても良い。
【００２７】
番組の録画と番組の再生とが同時に行われる場合には、番組の録画だけを行う場合に比べ、記憶装置及び回路基板がより多くの電力を消費するため、制御対象温度が上昇し易くなる。このため、番組の録画と番組の再生とが同時に行われる場合には、温度の閾値条件を低く設定することにより、早い時点から吸気を開始することができる。つまり、制御対象温度が動作保証温度を超えて、番組録画装置が停止してしまうのを早い時点から防ぐことができる。
【００２８】
また、前記筐体は、開口と、前記開口を覆う位置に設けられた開閉可能な扉部とを有し、前記制御部は、さらに、前記条件を満たし、かつ、前記制御対象温度が第１温度閾値よりも大きい第３温度閾値を満たす場合に、前記扉部を開いても良い。
【００２９】
この構成によると、緊急時のみに扉部を開くことができる。ファンが吸気した空気を、扉部を開くことで開口から排気することができる。このため、効率的に制御対象温度を下げることができる。また、扉部が自動的に開くことで、ユーザに対して、制御対象温度の上昇を知らせることができる。よって、ユーザは、番組録画装置の配置位置を変更したり、室内を冷却したりするなどの対策を講じることができる。
【００３０】
また、前記筐体は、開口と、前記開口を覆う位置に設けられた開閉可能な扉部とを有し、前記制御部は、さらに、前記条件を満たしている状態において、録画中の番組数が増加した場合には、前記扉部を開いても良い。
【００３１】
この構成によると、番組録画中に他の番組の録画が開始されることで録画番組数が増えた場合に扉部を開くことができる。録画番組数が増えると、記憶装置及び回路基板がより多くの電力を消費するため、制御対象温度が上昇し易くなる。このため、ファンが吸気した空気を、扉部を開くことで開口から排気することができる。よって、効率的に制御対象温度を下げることができる。また、扉部が自動的に開くことで、ユーザに対して、制御対象温度の上昇を知らせることができる。よって、ユーザは、番組録画装置の配置位置を変更したり、室内を冷却したりするなどの対策を講じることができる。
【００３２】
なお、本発明は、このような特徴的な処理部を備える番組録画装置として実現することができるだけでなく、番組録画装置に含まれる特徴的な処理部が実行する処理をステップとする番組録画装置の制御方法として実現することができる。また、番組録画装置に含まれる特徴的な処理部としてコンピュータを機能させるためのプログラムまたは番組録画装置の制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３３】
本発明によると、温度上昇に伴う停止を防止した番組録画装置を提供することができる。
【図面の簡単な説明】
【００３４】
【図１】実施の形態１に係る番組録画装置の正面側の外観図である。
【図２】扉部を開いた状態の番組録画装置の正面側の外観図である。
【図３】番組録画装置の背面側の外観図である。
【図４】番組録画装置の筐体の内部に配置された番組録画装置の主要な構成部品を模式的に示した図である。
【図５】回路基板に配置された温度センサの温度変化を示すグラフである。
【図６】制御部によるファン及び扉部の制御処理のフローチャートである。
【図７】筐体の外部の空気の筐体の内部への吸気を説明するための図である。
【図８】実施の形態２に係る制御部によるファン及び扉部の制御処理のフローチャートである。
【図９】実施の形態３に係る制御部によるファン及び扉部の制御処理のフローチャートである。
【図１０】実施の形態４に係る制御部によるファン及び扉部の制御処理のフローチャートである。
【図１１】扉部が閉じた状態での吸気を説明するための図である。
【図１２】実施の形態５に係る制御部によるファン及び扉部の制御処理のフローチャートである。
【図１３】実施の形態６に係る番組録画装置の正面側の外観図である。
【図１４】番組録画装置の筐体の内部に配置された番組録画装置の主要な構成部品を模式的に示した図である。
【図１５】制御部による排気ファン、吸気ファン及び扉部の制御処理のフローチャートである。
【図１６】吸気ファンによる吸気と、排気ファンによる排気とを説明するための図である。
【発明を実施するための形態】
【００３５】
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
（実施の形態１）
図１は、実施の形態１に係る番組録画装置の正面側の外観図である。番組録画装置１は、例えば、ＨＤＤを備え、ＨＤＤに番組を録画する。番組録画装置１の筐体１０の前面には、扉部１１が設けられている。なお、番組録画装置１の横方向、縦方向及び奥行き方向をそれぞれｘ方向、ｙ方向及びｚ方向として、各図に座標軸を示す。
【００３７】
図２は、扉部１１を開いた状態の番組録画装置１の正面側の外観図である。扉部１１は、筐体１０の開口１２を覆うように配置されており、扉部１１を開くことにより、開口１２を介して筐体１０の内部と外部とが通じる。
【００３８】
図３は、番組録画装置１の背面側の外観図である。番組録画装置１の筐体１０の背面には、複数の受け側のコネクタ１４が設けられている。コネクタ１４には、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルや、ビデオケーブルなどの、各種ケーブルのコネクタが接続される。また、筐体１０には、スリット１５が形成されている。筐体１０のスリット１５の近傍の内部には、後述するファン１３が配置されている。スリット１５から筐体１０の内部に空気が吸気したり、筐体１０の内部の空気を排気したりする。
【００３９】
図４は、番組録画装置１の筐体１０の内部に配置された番組録画装置１の主要な構成部品を模式的に示した図である。筐体１０の内部には、ＨＤＤ１６と、回路基板１７と、ファン１３とが配置されている。
【００４０】
ＨＤＤ１６は、記憶装置の一例である。ＨＤＤ１６には、その表面にペルチェ素子１６ａが配置されており、ＨＤＤ１６から発生する熱を外部に効率的に放出する。
【００４１】
回路基板１７には、図示しないチューナが受信した放送波に含まれる番組であって、録画予約された番組をＨＤＤ１６に録画したり、当該放送波に含まれるＥＰＧをＨＤＤ１６に書き込んだりするための回路が実装されている。例えば、回路基板１７には、各種ＩＣ（Ｉｎｔｅｇｒａｔｅｄ  Ｃｉｒｃｕｉｔ）及びトランジスタなどの電子部品が配置されている。また、回路基板１７には、ファン１３の回転を制御するＩＣである制御部１８が配置されている。ただし、制御部１８は、回路基板１７以外に配置されていても良い。制御部１８が実行する処理の詳細については後述する。回路基板１７にも、ＨＤＤ１６と同様に、その表面にペルチェ素子１７ａが配置されており、回路基板１７から発生する熱を外部に効率的に放出する。また、回路基板１７には、回路基板１７の表面温度を計測する温度センサ１７ｂが配置されている。
【００４２】
ファン１３は、筐体１０の内部の空気を筐体１０の外部に排気する。なお、ファン１３は、排気時と反対の方向に回転することにより、筐体１０の外部の空気を筐体１０の内部に吸気することも可能である。ただし、吸気を行うと、塵や埃が筐体１０の内部に流入し易くなるため、通常動作では排気を行う。ファン１３の回転方向は、上述した制御部１８により制御される。以下では、筐体１０の内部の空気を排気するときのファン１３の回転を正転とし、筐体１０の外部の空気を吸気するときのファン１３の回転を逆転とする。なお、ファン１３は首振り機能を有しており、ファン１３を揺動させることもできる。
【００４３】
ここで、筐体１０の内部の空気を排気する場合と筐体１０の外部の空気を吸気する場合との筐体１０の内部の温度変化について説明する。図５は、回路基板１７に配置された温度センサ１７ｂの温度変化を示すグラフである。図５には、ファン１３を正転させ筐体１０の内部の空気を排気した場合（図５中の「排気」）と、ファン１３を逆転させ筐体１０の外部の空気を吸気した場合（図５中の「吸気」）と、ファン１３を逆転させ筐体１０の外部の空気を吸気しながら、途中で扉部１１を開いた場合（図５中の「排気＋扉部開」）との温度変化をそれぞれ示している。グラフの横軸は、番組録画装置１の電源を立ち上げてからの経過時間を示し、縦軸は番組録画装置１が設置されている室内との温度差を示す。排気をする場合には温度差が４０度以上となるのに対し、吸気をする場合には温度差を４０度以下に下げることができる。つまり、吸気の方が排気よりも筐体１０内部の温度を下げることができる。また、吸気を行いつつ、扉部１１を開く場合には、筐体１０内部の通気性がよくなり、筐体１０内部の温度をさらに下げることができる。図５中の「排気＋扉部開」は、電源立ち上げ時から４時間経過した頃に扉部１１を開いて場合の温度差を示している。
【００４４】
図６は、制御部１８によるファン１３及び扉部１１の制御処理のフローチャートである。通常時には、ファン１３は筐体１０内部の空気を排気するために正転しているものとする。
【００４５】
制御部１８は、録画対象の番組、つまり録画予約されている番組の放送開始時刻の５分前になった否かを判断する（Ｓ１）。ただし、５分という時間は一例である。また、制御部１８は、放送開始時刻になったか否かを判断しても良いし、放送開始時刻から予め定められた時間（例えば、１分）が経過したか否かを判断しても良い。
【００４６】
５分前になったら（Ｓ１でＹＥＳ）、制御部１８は、ＨＤＤ１６の温度である制御対象温度が第１温度閾値（例えば、４５℃）を超え、かつ、録画予約されている番組の放送時間長が時間閾値（例えば、１２０分）を超えるという条件を満たすか否かを判断する（Ｓ２）。ＨＤＤ１６の温度は、Ｓ．Ｍ．Ａ．Ｒ．Ｔ．（Ｓｅｌｆ−Ｍｏｎｉｔｏｒｉｎｇ，  Ａｎａｌｙｓｉｓ  ａｎｄ  Ｒｅｐｏｒｔｉｎｇ  Ｔｅｃｈｎｏｌｏｇｙ）情報の項目Ｃ２の値から得ることができる。録画予約されている番組の放送時間長は、ユーザが録画予約時に設定した時間を用いても良いし、ユーザが録画予約した番組名を元にＥＰＧから取得しても良い。なお、温度センサ１７ｂで計測された回路基板１７の表面の温度を制御対象温度としても良い。
【００４７】
Ｓ２の条件を満たす場合には（Ｓ２でＹＥＳ）、制御部１８は、ファン１３に指示を送信し、ファン１３を逆転させることで、図７に示すように筐体１０の外部の空気を筐体１０の内部に吸気する（Ｓ３）。図７において矢印が空気の流れを示している。
【００４８】
また、制御部１８は、ファン１３に指示を送信し、ファン１３を揺動させることで、ＨＤＤ１６に配置されたペルチェ素子１６ａ及び回路基板１７に配置されたペルチェ素子１７ａに向かって風を送る（Ｓ４）。これにより、効率的に、ＨＤＤ１６及び回路基板１７から発生する熱を放熱することができる。
【００４９】
さらに、制御部１８は、扉部１１を開き、筐体１０内部の通気性を良くする（Ｓ５）。
【００５０】
制御部１８は、Ｓ２〜Ｓ５の処理を、番組録画が終了するまで繰り返し実行する（Ｓ６）。
【００５１】
以上説明したように、実施の形態１に係る番組録画装置１によると、制御対象温度のみならず、録画予約されている番組の放送時間長をも加味した条件を満たした場合に、ファン１３の回転方向を正転から逆転に変更している。番組の録画開始時刻から時間が経過するにつれ、ＨＤＤ１６及び回路基板１７で消費される電力の累計が増加するため、制御対象温度は徐々に上昇していく。このため、上記条件を満たすか否かを判断することで、将来的に制御対象温度が上昇するか否かを精度良く推定することができる。よって、制御対象温度が動作保証温度を超えて、番組録画装置１が停止してしまうのを防ぐことができる。なお、通常は、塵や埃が筐体１０内部に流入するのを防ぐために空気を排気するようにファン１３が回転する。しかし、上記条件を満たす場合には空気を吸気させることで、空気を排気する場合に比べ効率的に制御対象温度を低下させることができる。
【００５２】
また、扉部１１を開くことで、ファン１３が吸気した空気を開口１２から排気することができる。このため、効率的に制御対象温度を下げることができる。また、扉部１１が自動的に開くことで、ユーザに対して、制御対象温度の上昇を知らせることができる。よって、ユーザは、番組録画装置１の配置位置を変更したり、番組録画装置１が設置されている室内を冷却したりするなどの対策を講じることができる。
【００５３】
また、ＨＤＤ１６のペルチェ素子１６ａ及び回路基板１７のペルチェ素子１７ａの双方に風を送ることができるように、ファン１３を揺動させている。このため、効率的にＨＤＤ１６及び回路基板１７の温度を下げることができる。
【００５４】
（実施の形態２）
実施の形態１では、録画番組数に係わらず、ファン１３を逆転にするか否かを判断するための第１温度閾値は一定とした。実施の形態２では、同時に２番組以上録画される場合には、第１温度閾値よりも低い第２温度閾値を用いて、ファン１３を逆転にするか否かを判断する。
【００５５】
実施の形態２に係る番組録画装置の構成は、実施の形態１に示した番組録画装置１と同様である。ただし、制御部１８が実行する処理が異なる。以下、制御部１８が実行する処理について説明する。
【００５６】
図８は、制御部１８によるファン１３及び扉部１１の制御処理のフローチャートである。通常時には、ファン１３は筐体１０内部の空気を排気するために正転しているものとする。図６と同じステップには、同じステップ番号を付している。その処理内容も同様であるため、その詳細な説明はここでは繰り返さない。
【００５７】
録画予約されている番組の放送開始時刻の５分前になると（Ｓ１でＹＥＳ）、制御部１８は、その番組と重複する時間帯に録画予約されている番組が他にもあるか否かを判断する（Ｓ１１）。つまり、制御部１８は、互いに重複する時間帯に放送される録画対象の番組数が２以上であるか否かを判断する。
【００５８】
録画番組数が１つの場合には（Ｓ１１でＮＯ）、実施の形態１と同様にＳ２〜Ｓ５の処理が実行される。なお、Ｓ２の条件を満たしていない場合には、Ｓ１１に戻る。
【００５９】
録画番組数が２以上の場合には（Ｓ１１でＹＥＳ）、制御部１８は、ＨＤＤ１６の温度である制御対象温度が第２温度閾値を超え、かつ、録画予約されている番組の放送時間長が時間閾値を超えるという条件を満たすか否かを判断する（Ｓ１２）。この第２温度閾値（例えば、４０℃）は、第１温度閾値よりも小さい値とする。
【００６０】
Ｓ１２の条件を満たした場合には（Ｓ１２でＹＥＳ）、Ｓ３〜Ｓ５の処理が行われる。Ｓ１２の条件を満たしていない場合には（Ｓ１２でＮＯ）、Ｓ１１に戻る。
【００６１】
制御部１８は、Ｓ１１、Ｓ１２、Ｓ２〜Ｓ５の処理を、番組録画が終了するまで繰り返し実行する（Ｓ６）。
【００６２】
実施の形態２によると、実施の形態１の効果に加え、以下の効果を奏する。複数の番組を同時録画する場合には、１つの番組を録画する場合に比べ、ＨＤＤ１６及び回路基板１７がより多くの電力を消費するため、制御対象温度が上昇し易くなる。このため、複数の番組を同時録画する場合には、第１温度閾値よりも小さい第２温度閾値を用いることにより、早い時点から吸気を開始することができる。つまり、制御対象温度が動作保証温度を超えて、番組録画装置が停止してしまうのを早い時点から防ぐことができる。
【００６３】
（実施の形態３）
実施の形態２では、同時に録画される番組数が２以上の場合に、第１温度閾値よりも小さい第２温度閾値を用いて、ファン１３を逆転にするか否かを判断した。実施の形態３では、番組の録画と番組の再生とが同時に行われる場合に、第１温度閾値よりも小さい第２温度閾値を用いて、ファン１３を逆転にするか否かを判断する。
【００６４】
実施の形態３に係る番組録画装置の構成は、実施の形態１に示した番組録画装置１と同様である。ただし、制御部１８が実行する処理が異なる。以下、制御部１８が実行する処理について説明する。
【００６５】
図９は、制御部１８によるファン１３及び扉部１１の制御処理のフローチャートである。通常時には、ファン１３は筐体１０内部の空気を排気するために正転しているものとする。図９では、図８のＳ１１がＳ２１に置き換わった以外は、図８と同じである。このため、図８と同一の処理については、説明を繰り返さない。
【００６６】
録画予約されている番組の放送開始時刻の５分前になると（Ｓ１でＹＥＳ）、制御部１８は、現在、番組の再生中か否かを判断する（Ｓ２１）。つまり、制御部１８は、番組の録画と、ＨＤＤ１６又は図示しないＤＶＤ（Ｄｉｇｉｔａｌ  Ｖｅｒｓａｔｉｌｅ  Ｄｉｓｃ）などの記録媒体に記録されている番組の再生とが同時に行われるか否かを判断する。
【００６７】
番組の録画と再生が同時に行われない場合には（Ｓ２１でＮＯ）、Ｓ２に進み、番組の録画と再生が同時に行われる場合には（Ｓ２１でＹＥＳ）、Ｓ１２に進む。
【００６８】
実施の形態３によると、実施の形態１の効果に加え、以下の効果を奏する。番組の録画と再生とが同時に行われる場合には、番組の録画のみを行う場合に比べ、ＨＤＤ１６及び回路基板１７がより多くの電力を消費するため、制御対象温度が上昇し易くなる。このため、番組の録画と再生とが同時に行われる場合には、第１温度閾値よりも小さい第２温度閾値を用いることにより、早い時点から吸気を開始することができる。つまり、制御対象温度が動作保証温度を超えて、番組録画装置が停止してしまうのを早い時点から防ぐことができる。
【００６９】
（実施の形態４）
実施の形態１では、制御対象温度と録画予約されている番組の放送時間長とが条件を満たした場合に（図６のＳ２）、吸気し（図６のＳ３）、ファン１３を揺動し（図６のＳ４）、扉部１１を開く（図６のＳ５）こととしたが、実施の形態４では、上記条件を満たした場合には、吸気とファン１３の揺動を行い、さらに他の条件を満たした場合に扉部１１を開くこととする。
【００７０】
実施の形態４に係る番組録画装置の構成は、実施の形態１に示した番組録画装置１と同様である。ただし、制御部１８が実行する処理が異なる。以下、制御部１８が実行する処理について説明する。
【００７１】
図１０は、制御部１８によるファン１３及び扉部１１の制御処理のフローチャートである。通常時には、ファン１３は筐体１０内部の空気を排気するために正転しているものとする。図６と同じステップには、同じステップ番号を付している。その処理内容も同様であるため、その詳細な説明はここでは繰り返さない。
【００７２】
Ｓ２の条件を満たす場合（Ｓ２でＹＥＳ）、制御部１８は、吸気処理（Ｓ３）及びファン１３の揺動処理（Ｓ４）を実行する。この時点では、図１１に示すように、扉部１１は閉じている。
【００７３】
その後、制御部１８は、制御対象温度が第３温度閾値を超えているか否かを判断する（Ｓ３１）。ここで、第３温度閾値は、第１温度閾値よりも大きい値であり、例えば、５０℃である。
【００７４】
制御対象温度が第３温度閾値を超えていれば（Ｓ３１でＹＥＳ）、制御部１８は、扉部１１を開く（Ｓ５）。制御対象温度が第３温度閾値以下であれば（Ｓ３１でＮＯ）、Ｓ２に戻る。
【００７５】
制御部１８は、Ｓ１〜Ｓ４、Ｓ３１、Ｓ５の処理を、番組録画が終了するまで繰り返し実行する（Ｓ６）。
【００７６】
実施の形態４によると、実施の形態１と同様の効果を奏することができる。ただし、緊急時のみに扉部１１を開くようにすることができる。
【００７７】
（実施の形態５）
実施の形態４では、制御対象温度が第３温度閾値を超えた場合に、扉部１１が開く。実施の形態５では、番組録画中に他の番組の録画が開始されることで録画番組数が増えた場合に、扉部１１が開く。
【００７８】
実施の形態５に係る番組録画装置の構成は、実施の形態１に示した番組録画装置１と同様である。ただし、制御部１８が実行する処理が異なる。以下、制御部１８が実行する処理について説明する。
【００７９】
図１２は、制御部１８によるファン１３及び扉部１１の制御処理のフローチャートである。通常時には、ファン１３は筐体１０内部の空気を排気するために正転しているものとする。図１２では、図１０のＳ３１がＳ４１に置き換わった以外は、図１０と同じである。このため、図１０と同一の処理については、説明を繰り返さない。
【００８０】
ファン揺動処理（Ｓ４）の後、制御部１８は、現在録画中の番組に加えて、他の番組の録画が開始されることで録画番組数が増加したか否かを判断する（Ｓ４１）。録画番組数が増加した場合には（Ｓ４１でＹＥＳ）、制御部１８は、扉部１１を開く（Ｓ５）。
【００８１】
録画番組数が増加していない場合には（Ｓ４１でＮＯ）、Ｓ２に戻る。
【００８２】
制御部１８は、Ｓ１〜Ｓ４、Ｓ４１、Ｓ５の処理を、番組録画が終了するまで繰り返し実行する（Ｓ６）。
【００８３】
実施の形態５によると、実施の形態１と同様の効果を奏することができる。ただし、番組録画中に他の番組の録画が開始されることで録画番組数が増えた場合に扉部を開くことができる。録画番組数が増えると、記憶装置及び回路基板がより多くの電力を消費するため、制御対象温度が上昇し易くなる。このため、ファンが吸気した空気を、扉部を開くことで開口から排気することができる。よって、効率的に制御対象温度を下げることができる。
【００８４】
（実施の形態６）
実施の形態１〜５に係る番組録画装置１は、ファン１３を１つ備え、ファン１３の回転方向を変更することで、吸気又は排気を行った。実施の形態６に係る番組録画装置は、排気用のファンと吸気用のファンとを別個に備える構成とした。
【００８５】
図１３は、実施の形態６に係る番組録画装置の正面側の外観図である。番組録画装置２は、番組録画装置１と同様に、例えば、ＨＤＤを備え、ＨＤＤに番組を録画する。番組録画装置２の筐体２０の前面には、扉部１１が設けられている。また、筐体２０の前面の右端にはスリット２１が設けられており、筐体２０の内部と通じている。なお、スリット２１の位置は限定されるものではない。扉部１１は、図２に示した番組録画装置１と同様に開閉可能である。番組録画装置２の背面側は、図３に示した番組録画装置１の背面側と同様の外観を有する。
【００８６】
図１４は、番組録画装置２の筐体２０の内部に配置された番組録画装置２の主要な構成部品を模式的に示した図である。筐体２０の内部には、ＨＤＤ１６と、回路基板１７と、排気ファン２２と、吸気ファン２３とが配置されている。ＨＤＤ１６及び回路基板１７の構成は、図４に示したものと同様である。排気ファン２２は、回転することにより、筐体２０の内部の空気を筐体２０の外部に排気する。吸気ファン２３は、回転することにより、筐体２０の外部の空気をスリット２１を通じて筐体２０の内部に吸気する。なお、吸気ファン２３は首振り機能を有しており、吸気ファン２３を揺動させることもできる。
【００８７】
図１５は、制御部１８による排気ファン２２、吸気ファン２３及び扉部１１の制御処理のフローチャートである。図６と同じステップには、同じステップ番号を付している。その処理内容も同様であるため、その詳細な説明はここでは繰り返さない。
【００８８】
録画予約されている番組の放送開始時刻の５分前になると（Ｓ１でＹＥＳ）、制御部１８は、ＨＤＤ１６の温度である制御対象温度が第１温度閾値を超え、かつ、録画予約されている番組の放送時間長が時間閾値を超えるという条件を満たすか否かを判断する（Ｓ２）。
【００８９】
Ｓ２の条件を満たす場合には（Ｓ２でＹＥＳ）、制御部１８は、排気ファン２２及び吸気ファン２３に指示を出し、排気ファン２２及び吸気ファン２３を動作させる（Ｓ５１）。これにより、図１６に示すように吸気ファン２３から吸気をし、排気ファン２２から排気する。
【００９０】
また、制御部１８は、吸気ファン２３に指示を送信し、吸気ファン２３を揺動させることで、ＨＤＤ１６に配置されたペルチェ素子１６ａ及び回路基板１７に配置されたペルチェ素子１７ａに向かって風を送る（Ｓ５２）。これにより、効率的に、ＨＤＤ１６及び回路基板１７から発生する熱を放熱することができる。
【００９１】
さらに、制御部１８は、扉部１１を開き、筐体２０内部の通気性を良くする（Ｓ５）。
【００９２】
一方、Ｓ２の条件を満たさない場合には（Ｓ２でＮＯ）、制御部１８は、排気ファン２２を動作させ、吸気ファン２３を停止する。これにより、制御対象温度を下げつつも、筐体２０の内部に塵や埃が入るのを防ぐ。
【００９３】
制御部１８は、Ｓ２、Ｓ５１〜Ｓ５３、Ｓ５の処理を、番組録画が終了するまで繰り返し実行する（Ｓ６）。
【００９４】
以上説明したように実施の形態６に係る番組録画装置２によると、制御対象温度のみならず、録画予約されている番組の放送時間長をも加味した条件を満たした場合に、排気ファン２２と吸気ファン２３の両方を動作させている。番組の録画開始時刻から時間が経過するにつれ、ＨＤＤ１６及び回路基板１７で消費される電力の累計が増加するため、制御対象温度は徐々に上昇していく。このため、上記条件を満たすか否かを判断することで、将来的に制御対象温度が上昇するか否かを精度良く推定することができる。よって、制御対象温度が動作保証温度を超えて、番組録画装置２が停止してしまうのを防ぐことができる。なお、通常は、塵や埃が筐体内部に流入するのを防ぐために排気ファン２２のみが動作する。しかし、上記条件を満たす場合には排気ファン２２と吸気ファン２３の両方が動作することで、排気ファン２２のみが動作する場合に比べ効率的に制御対象温度を低下させることができる。
【００９５】
以上、本発明に係る番組録画装置について実施の形態に基づいて説明したが、本発明は、この実施の形態に限定されるものではない。
【００９６】
例えば、上述の実施の形態では、ＨＤＤに番組を録画するものとしたが、ＤＶＤなどの記録媒体に番組を録画しても良い。
【００９７】
また、制御部は、筐体の内部を冷却するために、吸気処理、ファンの揺動処理、扉部を開く処理を実行したが、これらのうち、いずれか１つまたは２つを実行するものであっても良い。
【００９８】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９９】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１００】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０１】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１０２】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１０３】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０４】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０５】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０６】
さらに、上記実施の形態及び上記変形例をそれぞれ組み合わせるとしても良い。例えば、実施の形態６に示した排気ファン２２と吸気ファン２３とを備える番組録画装置２においても、同時に２番組以上録画される場合には、実施の形態２に示したように、第１温度閾値の代わりに、第１温度閾値よりも低い第２温度閾値を用いて、吸気ファン２３を動作させるか否かを判断しても良い。
【産業上の利用可能性】
【０１０７】
本発明は番組録画装置として、例えば、テレビ放送を録画するハードディスクレコーダなどに適用できる。
【符号の説明】
【０１０８】
１、２  番組録画装置
１０、２０  筐体
１１  扉部
１２  開口
１３  ファン
１４  コネクタ
１５  スリット
１６ａ、１７ａ  ペルチェ素子
１７  回路基板
１７ｂ  温度センサ
１８  制御部
２１  スリット
２２  排気ファン
２３  吸気ファン
【図１】
2014216035.tif 000003
【図２】
2014216035.tif 000004
【図３】
2014216035.tif 000005
【図４】
2014216035.tif 000006
【図５】
2014216035.tif 000007
【図６】
2014216035.tif 000008
【図７】
2014216035.tif 000009
【図８】
2014216035.tif 000010
【図９】
2014216035.tif 000011
【図１０】
2014216035.tif 000012
【図１１】
2014216035.tif 000013
【図１２】
2014216035.tif 000014
【図１３】
2014216035.tif 000015
【図１４】
2014216035.tif 000016
【図１５】
2014216035.tif 000017
【図１６】
2014216035.tif 000018